(57)【要約】【解決手段】本発明は、コアとカバーとを有し、外表面には多数のディンプルが形成されてなるゴルフボールにおいて、ＵＳＧＡのドラム回転式の初速度計と同方式の初速測定器を用いて測定した方法でのボール及びコアの初速度（ｍ／ｓ）をそれぞれＢＶ，ＣＶ、ボール及びコアに対して初期荷重９８Ｎ（１０ｋｇｆ）を負荷した状態から終荷重１２７５Ｎ（１３０ｋｇｆ）を負荷したときまでのたわみ量（ｍｍ）をそれぞれＢＥ，ＣＥと定義したとき、ボールの初速度ＢＶが７０．０〜７６．０ｍ／ｓであり、０≦（ＣＶ−ＢＶ）−（ＣＥ−ＢＥ）≦２を満たすことを特徴とするゴルフボールを提供する。【効果】本発明のゴルフボールによれば、現在使用されている公認球よりも飛距離を抑制することができると共に、ゲームボール（競技用ボール）と同様の良好な打感、コントロール性、耐擦過傷性及び繰返し打撃耐久性に優れているものである。【選択図】図１
2010115486.tif 000002
【特許請求の範囲】
【請求項１】
コアとカバーとを有し、外表面には多数のディンプルが形成されてなるゴルフボールにおいて、ＵＳＧＡのドラム回転式の初速度計と同方式の初速測定器を用いて測定したボール及びコアの初速度（ｍ／ｓ）をそれぞれＢＶ，ＣＶ、ボール及びコアに対して初期荷重９８Ｎ（１０ｋｇｆ）を負荷した状態から終荷重１２７５Ｎ（１３０ｋｇｆ）を負荷したときまでのたわみ量（ｍｍ）をそれぞれＢＥ，ＣＥと定義したとき、ボールの初速度ＢＶが７０．０〜７６．０ｍ／ｓであり、下記式（Ｉ）
０≦（ＣＶ−ＢＶ）−（ＣＥ−ＢＥ）≦２                            （Ｉ）
を満たすことを特徴とするゴルフボール。
【請求項２】
更に、下記式（ＩＩ）
１０００≦カバーのショアＤ硬度×（ＢＶ／ＢＥ）≦１６００          （ＩＩ）
を満たす請求項１記載のゴルフボール。
【請求項３】
更に、下記式（ＩＩＩ）
０．０１５≦（ＢＥ／ＣＥ）／カバーのショアＤ硬度≦０．０２３      （ＩＩＩ）
を満たす請求項１又は２記載のゴルフボール。
【請求項４】
更に、ディンプル総容積（ｍｍ3），ディンプル深さ（ｍｍ）及びディンプル表面占有率（％）の関係において、下記式（ＩＶ）
２８≦ディンプル総容積／（ディンプル深さ×ディンプル表面占有率）≦３５
（ＩＶ）
を満たす請求項１〜３のいずれか１項記載のゴルフボール。
【請求項５】
上記ディンプルの総容積が４００〜４８０ｍｍ3である請求項１〜４のいずれか１項記載のゴルフボール。
【請求項６】
上記コアの初速度ＣＶが７０．０〜７８．０ｍ／ｓである請求項１〜５のいずれか１項記載のゴルフボール。
【発明の詳細な説明】
【技術分野】
【０００１】
本発明は、現在使用されている公認球よりも飛距離を抑制することができると共に、ゲームボールと同様の良好な打感、コントロール性、耐久性に優れており、競技用ボールだけではなく練習場用ボールとしても好適に使用することができるゴルフボールに関する。
【背景技術】
【０００２】
最近では、下記の２つのケースで飛距離を抑制したゴルフボールの要求が高まっている。
【０００３】
第１のケースは、“打ち放し”と言われるゴルフボール練習場において、練習場面積を十分広くすることができず、ゴルファーが打ったボールが練習場を飛び出してしまうという問題がある。この問題を解決するために、飛距離を抑制したゴルフボールが求められている。
【０００４】
第２のケースは、ティグラウンドからグリーンまでの距離が短いコースにおいても、ドライバー等の飛距離が出るクラブを用いてゲームを楽しむために、ボールの飛距離を抑制したいという要求がある。
【０００５】
そこで、従来から提案されたゴルフボールの中には、飛び性能を抑制したゴルフボールや短距離用ゴルフボールがいくつかあり、例えば、特開昭６０−１９４９６７号公報（特許文献１）には、発泡成型された熱可塑性樹脂重合体及び充填材料を含み、ボールがその半径に沿ってその中心からその表面に向かって増加していく密度勾配を有することを特徴とする短距離用のゴルフボールが提案されている。
【０００６】
しかしながら、このゴルフボールでは高ヘッドスピード（ＨＳ）だけでなく、低いヘッドピード（ＨＳ）でも飛距離が落ちすぎてしまい、プレイヤーにとって競技上不利が多過ぎる。
【０００７】
また、米国特許第５２０９４８５号明細書（特許文献２）には、反発性が低くて飛距離を落としたゴルフボールが記載されているが、このゴルフボールの硬度が高く、打感が悪いという欠点がある。
【０００８】
更には、米国特許第５２７３２８７号明細書（特許文献３）には、外径が１．７０〜１．８０インチ（４３．１８〜４５．７２ｍｍ）、重量１．６２オンス以下、ボール球面に対するディンプル面積占有率が７０％以上である大径のゴルフボールが記載されている。しかしながら、通常よりもボールが大きいのでプレイヤーに違和感を与え、更には打感についての改良はなされていない。
【０００９】
そのほか、米国特許第５９７１８７０号明細書（特許文献４）、米国特許第５６９５４１３号明細書（特許文献５）には、軟らかいコアを備えたゴルフボールが提案されているが、この発明は良好な飛び性能を付与することを目的とするものであり、本発明の目的及び課題とは異なる。
【００１０】
また、特開２００７−３０１３５７号公報（特許文献６）に記載されたゴルフボールは、初速、変形量、カバー硬度等を規定したものであるが、飛距離低下が十分でなく、また、打撃時のたわみが大きくなり打感が軟らか過ぎるという欠点がある。そのほか、特開平２−２９５５７３号公報（特許文献７）及び特開平４−１１７９６９号公報（特許文献８）に記載されたゴルフボールは飛びの低弾道を狙ったものではあるが、打感、コントロール性及び耐久性の全ての面で優れているものではなかった。
【先行技術文献】
【特許文献】
【００１１】
【特許文献１】特開昭６０−１９４９６７号公報
【特許文献２】米国特許第５２０９４８５号明細書
【特許文献３】米国特許第５２７３２８７号明細書
【特許文献４】米国特許第５９７１８７０号明細書
【特許文献５】米国特許第５６９５４１３号明細書
【特許文献６】特開２００７−３０１３５７号公報
【特許文献７】特開平２−２９５５７３号公報
【特許文献８】特開平４−１１７９６９号公報
【発明の概要】
【発明が解決しようとする課題】
【００１２】
本発明は、上記事情に鑑みなされたもので、現在使用されている公認球よりも飛距離を抑制し得るゴルフボールであり、ゲームボール（競技用ボール）と同様の良好な打感を有し、コントロール性、耐擦過傷性及び繰返し打撃耐久性に優れたゴルフボールを提供することを目的とする。
【課題を解決するための手段】
【００１３】
本発明者は、上記目的を達成するため鋭意検討を重ねた結果、コアの初速度ＣＶ，ボールの初速度ＢＶ，コアの特定荷重負荷時のたわみ量ＣＥ及びボールの特定荷重負荷時のたわみ量ＢＥとの関係について、下記の特定式（Ｉ）
０≦（ＣＶ−ＢＶ）−（ＣＥ−ＢＥ）≦２                              （Ｉ）
を満たすようにゴルフボールを設計することにより、現在使用されている公認球よりも飛距離を抑制することができると共に、ゲームボールと同様の良好な打感、コントロール性、耐久性に優れていることを知見し、本発明をなすに至ったものである。
【００１４】
更に詳述すると、上記式（Ｉ）は、コアとゴルフボール（製品）との間における反発とたわみ量とのバランスの指標であり、上記式（Ｉ）が所定の数値範囲を満たすことにより、上述した発明の効果を有効に発揮することができるものである。
【００１５】
したがって、本発明は下記のゴルフボールを提供する。
［１］コアとカバーとを有し、外表面には多数のディンプルが形成されてなるゴルフボールにおいて、ＵＳＧＡのドラム回転式の初速度計と同方式の初速測定器を用いて測定したボール及びコアの初速度（ｍ／ｓ）をそれぞれＢＶ，ＣＶ、ボール及びコアに対して初期荷重９８Ｎ（１０ｋｇｆ）を負荷した状態から終荷重１２７５Ｎ（１３０ｋｇｆ）を負荷したときまでのたわみ量（ｍｍ）をそれぞれＢＥ，ＣＥと定義したとき、ボールの初速度ＢＶが７０．０〜７６．０ｍ／ｓであり、下記式（Ｉ）
０≦（ＣＶ−ＢＶ）−（ＣＥ−ＢＥ）≦２                            （Ｉ）
を満たすことを特徴とするゴルフボール。
［２］更に、下記式（ＩＩ）
１０００≦カバーのショアＤ硬度×（ＢＶ／ＢＥ）≦１６００          （ＩＩ）
を満たす［１］記載のゴルフボール。
［３］更に、下記式（ＩＩＩ）
０．０１５≦（ＢＥ／ＣＥ）／カバーのショアＤ硬度≦０．０２３      （ＩＩＩ）
を満たす［１］又は［２］記載のゴルフボール。
［４］更に、ディンプル総容積（ｍｍ3），ディンプル深さ（ｍｍ）及びディンプル表面占有率（％）の関係において、下記式（ＩＶ）
２８≦ディンプル総容積／（ディンプル深さ×ディンプル表面占有率）≦３５
（ＩＶ）
を満たす［１］〜［３］のいずれか１項記載のゴルフボール。
［５］上記ディンプルの総容積が４００〜４８０ｍｍ3である［１］〜［４］のいずれか１項記載のゴルフボール。
［６］上記コアの初速度ＣＶが７０．０〜７８．０ｍ／ｓである［１］〜［５］のいずれか１項記載のゴルフボール。
【発明の効果】
【００１６】
本発明のゴルフボールは、現在使用されている公認球よりも飛距離を抑制することができると共に、ゲームボール（競技用ボール）と同様の良好な打感を有し、コントロール性、耐擦過傷性及び繰返し打撃耐久性に優れている。
【図面の簡単な説明】
【００１７】
【図１】本発明の一実施例に係るゴルフボールの内部構造を示す断面図である。
【図２】ディンプルの深さを説明する説明図である。
【図３】ディンプルの配列態様Ｉを示したゴルフボールの平面図である。
【図４】ディンプルの配列態様ＩＩを示したゴルフボールの平面図である。
【発明を実施するための形態】
【００１８】
以下、本発明につき更に詳しく説明する。
本発明のゴルフボールは、ＵＳＧＡのドラム回転式の初速度計と同方式の初速測定器を用いて測定した方法におけるボール及びコアの初速度（ｍ／ｓ）と、ボール及びコアに対して初期荷重９８Ｎ（１０ｋｇｆ）を負荷した状態から終荷重１２７５Ｎ（１３０ｋｇｆ）を負荷したときまでのたわみ量（ｍｍ）を用い、これらの物性値が下記式（Ｉ）を満たすように設定することを特徴とする。
０≦（ＣＶ／ＢＶ）−（ＣＥ／ＢＥ）≦２                            （Ｉ）
【００１９】
上記のボール初速度ＢＶ及びコアの初速度ＣＶは、具体的には、ゴルフルールに規定された初速度測定方式に基づくものであり、Ｒ＆Ａの承認する装置であるＵＳＧＡのドラム回転式の初速度計と同方式の初速測定器を用いて測定した測定値である。即ち、ボール又はコアを２３±１℃環境下で３時間以上温調した後、室温２３±２℃の部屋でテストしたものであり、２５０ポンド（１１３．４ｋｇ）のヘッド（ストライキングマス）を用いて打撃速度１４３．８ｆｔ／ｓ（４３．８３ｍ／ｓ）にてボールを打撃し、１ダースのボールを各々４回打撃して６．２８ｆｔ（１．９１ｍ）の間を通過する時間を測定して初速度（ｍ／ｓ）を算出したものである。なお、約１５分間でこのサイクルを行なう。
【００２０】
上記ボールの初速度ＢＶについては、７０ｍ／ｓ以上、好ましくは７１ｍ／ｓ以上、より好ましくは７２ｍ／ｓ以上であり、上限として、７６ｍ／ｓ以下、好ましくは７５．５ｍ／ｓ以下、より好ましくは７５ｍ／ｓ以下である。上記の値が大き過ぎると、Ｗ＃１打撃時に十分な飛距離抑制ができなくなることがある。また、上記の値が小さ過ぎると、Ｗ＃１のみならずアイアン打撃時において飛距離が落ちすぎてしまうことがある。
【００２１】
上記ボールに対して初期荷重９８Ｎ（１０ｋｇｆ）を負荷した状態から終荷重１２７５Ｎ（１３０ｋｇｆ）を負荷したときまでのたわみ量ＢＥは、好ましくは２．０ｍｍ以上、より好ましくは２．２ｍｍ以上、更に好ましくは２．４ｍｍ以上であり、上限値としては、好ましくは４．０ｍｍ以下、より好ましくは３．８ｍｍ以下、更に好ましくは３．６ｍｍ以下である。この数値が小さくなり過ぎると、打感が硬くなり過ぎ、または飛び過ぎてしまい本発明の目的を達成することができなくなる場合がある。また、上記数値が大きくなり過ぎると、打感が軟らかくなり過ぎ、また耐久性に劣る場合がある。
【００２２】
上記コアの初速度ＣＶについては、好ましくは７０ｍ／ｓ以上、より好ましくは７１ｍ／ｓ以上、さらに好ましくは７２ｍ／ｓ以上であり、上限として、好ましくは７８ｍ／ｓ以下、より好ましくは７７ｍ／ｓ以下、さらに好ましくは７６ｍ／ｓ以下である。上記の値が大き過ぎると、Ｗ＃１打撃時に十分な飛距離抑制ができなくなることがある。また、上記の値が小さ過ぎると、Ｗ＃１のみならずアイアン打撃時において飛距離が落ち過ぎてしまうことがある。
【００２３】
上記コアに対して初期荷重９８Ｎ（１０ｋｇｆ）を負荷した状態から終荷重１２７５Ｎ（１３０ｋｇｆ）を負荷したときまでのたわみ量ＣＥは、好ましくは２．３ｍｍ以上、より好ましくは２．５ｍｍ以上であり、上限として、好ましくは５．０ｍｍ以下、より好ましくは４．７ｍｍ以下である。この数値が小さくなり過ぎると、打感が硬くなり過ぎ、または飛び過ぎてしまい本発明の目的を達成することができなくなる場合がある。また、上記数値が大きくなり過ぎると、打感が軟らかくなり過ぎ、また耐久性に劣る場合がある。なお、コアの直径については、好ましくは３５ｍｍ以上、より好ましくは３６ｍｍ以上、更に好ましくは３７ｍｍ以上であり、上限としては、好ましくは４１ｍｍ以下、より好ましくは４０．５ｍｍ以下、更に好ましくは４０ｍｍ以下である。この直径の値が大き過ぎると、ドライバーでの飛距離が大き過ぎる場合があり、逆に、小さ過ぎると、アイアンでの打撃時にスピンがかかり過ぎてしまい飛距離が落ち過ぎる場合がある。
【００２４】
そして、本発明では下記の式（Ｉ）を満たすことが必要である。
０≦（ＣＶ−ＢＶ）−（ＣＥ−ＢＥ）≦２                            （Ｉ）
即ち、（ＣＶ−ＢＶ）−（ＣＥ−ＢＥ）の値は０以上２以下であることが必要であり、好ましくは０．５以上１．５以下である。この値が上記範囲より小さくなると、コアに対するボールの反発性が高かったり、コアに対するボールのたわみ量が小さくなり、その結果、ショートゲームでのコントロール性が悪かったり、また打感や繰返し打撃耐久性が悪くなり、また、ドライバー打撃での飛びが大き過ぎたりする。逆に、（ＣＶ−ＢＶ）−（ＣＥ−ＢＥ）の値が上記範囲より大きいと、コアに対するボールの反発性が低かったり、コアに対するボールのたわみ量が大きくなり、その結果、ドライバー打撃時に、スピンがかかり過ぎてしまい、ゲーム用ボールとの違いが大きくなり過ぎることにより違和感を感じたり、また、アイアンショットでの飛距離が出なかったりする。
【００２５】
上述したように、本発明においては、ゴルフボールを構成するコアとボール自体との間に、「初速度」及び「たわみ量」の物性値を上述した数値範囲に設定することが必要であり、そのためには、コアの材料、製造方法、コアを被覆するカバーの材料及びカバーの形成方法など以下に示す内容に従って上記式（Ｉ）を満たしたゴルフボールを得ることができる。
【００２６】
コアの材料
上記式を満足し、かつ上記範囲のたわみ変形量を有するコアの材料としては、ゴム製の弾性コアが用いられるものであり、特に制限されるものではないが、具体的には、ポリブタジエンゴムのほか、イソプレンゴム、ブチルゴム、スチレン−ブタジエンゴムなどの各種合成ゴムを基材ゴムとし、この基材ゴムに、アクリル酸亜鉛等の不飽和カルボン酸又はその金属塩、有機過酸化物、酸化亜鉛及び硫酸バリウム等の無機充填剤、老化防止剤などの公知の配合物を配合することができる。特に、ポリブタジエンゴムとイソプレンゴムとを併用する場合には、前者／後者の配合割合は９５／５〜５０／５０（質量比）とすることが好ましい。また、ポリブタジエンゴムとブチルゴムとを併用する場合には、前者／後者の配合割合は９５／５〜５０／５０（質量比）とすることが好ましい。いずれにせよ、反発弾性に優れるポリブタジエンゴムを主体とし、これに、イソプレンゴムやブチルゴム等のゴムを少量配合して基材ゴムを構成し、耐久性を確保しつつコアの反発弾性をできる限り抑制することが本発明においては最適である。
【００２７】
また、コア配合において、基材ゴムに対して添加される充填剤としては、例えば、硫酸バリウム、酸化亜鉛、炭酸カルシウム、シリカ（二酸化珪素）等が例示されるが、コア架橋構造から反発弾性を低減させる点から、シリカ、炭酸カルシウム等を基材ゴム１００質量部に対して１０〜３０質量部配合することが本発明の上記式（Ｉ）を満たす傾向にある。
【００２８】
上記コアを形成する方法としては、特に制限はなく公知の方法を採用することができ、例えば、通常の混練機（例えば、バンバリーミキサー、ニーダー及びロール等）を用いてコア用ゴム組成物を混練し、得られたコンパウンドをコア用金型を用いて、加熱圧縮成形などにより形成することができる。また、コア用ゴム組成物の加硫条件は、例えば、加硫温度１００〜２００℃、加硫時間１０〜４０分にて実施することができる。
【００２９】
上述したコアの表面にカバーが形成されるものであるが、カバーの層数は１層、２層、３層あるいはそれ以上の多層に仕上げることができる。例えば、単層のカバーをコアに被覆すると図１に示したような内部構造を有するゴルフボール（ツーピースゴルフボール）を得る。図１中、符号１はコア、２はカバー、Ｄはディンプル及びＧはゴルフボール全体を示す。以下、カバーについて説明する。
【００３０】
カバーの材料
また、上記カバーの材料としては、特に制限はないが、本発明では、上述したように、コアとボール自体との間に、「初速度」及び「たわみ量」の物性値を用いた特定式を満足する必要があり、それを満たすよう、コアと同様に、カバー材料を適宜選定する必要がある。具体的には、アイオノマー樹脂，ウレタン樹脂，ポリオレフィン系エラストマー，ポリエステル系エラストマー樹脂及びポリアミド系エラストマー等の公知の熱可塑性樹脂又は各種エラストマーを好適に採用することができる。２層以上のカバーを有する場合、各カバー層の材料は、同種であっても異種であってもよい。特に、アイオノマー樹脂や熱可塑性ポリウレタンエラストマーを用いることが好適である。また、生産性を高める観点から、各種の熱可塑性樹脂を採用することが好適である。
【００３１】
なお、上記カバー材料には、必要に応じて種々の添加剤を配合しても良く、例えば、酸化亜鉛、硫酸バリウム、二酸化チタン等の無機充填剤や顔料、分散剤、老化防止剤、紫外線吸収剤、光安定剤などを加えることができる。
【００３２】
次に、カバーのショアＤ硬度について説明する。カバーが単層、多層のいずれの場合であっても、その最外層カバーのショアＤ硬度については、好ましくは４１以上、より好ましくは４２以上、更に好ましくは４４以上、上限として、好ましくは６０以下、より好ましくは５８以下、更に好ましくは５５以下である。この範囲よりカバーが軟らか過ぎると、ボールにスピンがかかり過ぎてしまう場合があり、逆に、硬過ぎると、飛び過ぎたり、耐久性が悪くなったりする場合がある。
【００３３】
また、カバーの厚さについては、カバーが１層の場合、好ましくは０．３ｍｍ以上、より好ましくは０．５ｍｍ以上、更に好ましくは０．７ｍｍ以上であり、上限としては、好ましくは２．３ｍｍ以下、より好ましくは２．１ｍｍ以下、更に好ましくは１．７ｍｍ以下である。なお、カバーを多層にした場合、それぞれの厚さは上記の厚さとすることが好ましい。
【００３４】
上記カバーを形成する方法は、射出成形やコンプレッション成形等の公知の各種方法をでき、その射出温度や時間等の諸条件についても通常採用される範囲で適宜選定することによりカバーを容易に形成することができる。カバーを多層とする場合には、コアに１層のカバーを被覆した後、得られた球体を別の射出成形用金型にセットしてコアの周囲に２層又はそれ以上のカバーを被覆すればよい。
【００３５】
ここで、下記式（ＩＩ）を満たすことが好ましい。
１０００≦カバーのショアＤ硬度×（ＢＶ／ＢＥ）≦１６００          （ＩＩ）
即ち、カバーのショアＤ硬度×（ＢＶ／ＢＥ）の値は１０００以上１６００以下に設定することが好ましく、より好ましくは１１００以上１５００以下である。なお、カバーのショアＤ硬度×（ＢＶ／ＢＥ）は、たわみ量と反発性とコントロール性とのバランスの指標を表す。
【００３６】
また、下記式（ＩＩＩ）を満たすことが好ましい。
０．０１５≦（ＢＥ／ＣＥ）／カバーのショアＤ硬度≦０．０２３      （ＩＩＩ）
即ち、（ＢＥ／ＣＥ）／カバーのショアＤ硬度の値は０．０１５以上０．０２３以下に設定することが好ましく、より好ましくは０．０１６以上０．０２２以下である。なお、上記式（ＩＩＩ）は、たわみ量とコントロール性のバランスの指標を表す。
【００３７】
また、上記ボールの外表面には多数のディンプルが形成される。ディンプルの総数については、好ましくは２８０個以上、より好ましくは３００個以上であり、上限値としては、好ましくは４８０個以下、より好ましくは４４０個以下、さらに好ましくは４００個以下にすることができる。ディンプルの個数が上記範囲より多くなると、ボールの弾道が低くなり過ぎることがある。逆に、ディンプル個数が少なくなると、ボールの弾道が高くなり、アイアン打撃時に飛距離が出なくなることがある。
【００３８】
ディンプルの形状については、円形や非円形、例えば、各種多角形、デュードロップ形、その他楕円形など１種類又は２種類以上を組み合わせて適宜使用することができる。例えば、円形ディンプルを使用する場合には、直径は、好ましくは１．５ｍｍ以上７．０ｍｍ以下、より好ましくは２．０ｍｍ以上６．０ｍｍ以下、さらに好ましくは２．５ｍｍ以上４．０ｍｍ以下とすることができる。また、ディンプルの縁で囲まれた平面からの深さは、好ましくは０．０５ｍｍ以上０．４ｍｍ以下である。ディンプルの縁で囲まれた平面からの深さＤｐは、図２に示されるように、端縁ｅによって囲まれた平面Ｌ（円；直径Ｄｍ）からディンプルの底面ｊ（底面をディンプルの上記平面と同一にする。）までの距離を意味する。
【００３９】
ディンプルがゴルフボールの球面に占めるディンプル占有率、具体的には、ディンプルの縁に囲まれた平面の面縁で定義されるディンプル面積の合計が、ディンプルが存在しないと仮定したボール球面積に占める比率（ＳＲ）については、弾道に違和感なく飛距離を低減させる点から、好ましくは４０〜８０％、より好ましくは４０〜７０％であり、さらに好ましくは４０〜６０％である。
【００４０】
ディンプル総容積（ｍｍ3）については、好ましくは４００〜４８０ｍｍ3であり、より好ましくは４１０〜４７０ｍｍ3である。
【００４１】
また、ディンプル総容積（ｍｍ3），ディンプル深さ（ｍｍ）及びディンプル表面占有率（％）の関係において、下記式（ＩＶ）を満たすことが好ましい。
２８≦ディンプル総容積／（ディンプル深さ×ディンプル表面占有率）≦３５
（ＩＶ）
即ち、ディンプル総容積／（ディンプル深さ×ディンプル表面占有率）の値が２８以上３５以下となることが好適である。一般には、ディンプルが浅く、表面占有率が小さくなると、上記式（ＩＶ）の値が大きくなる。上記値が３５を超えると、ボールが飛び過ぎたり、高弾道になり過ぎることがあり、逆に、ボールが上がらなくなる場合がある。また、ディンプルが深く、表面占有率が大きくなると、上記値が小さくなる。上記値が２８を下回ると、低弾道になり過ぎたり、飛び過ぎたりする場合がある。
【００４２】
以上説明したように、本発明のゴルフボールによれば、現在使用されている公認球よりも飛距離を抑制することができると共に、ゲームボール（競技用ボール）と同様の良好な打感、コントロール性、耐擦過傷性及び繰返し打撃耐久性に優れている。それ故、ゴルフ練習場やゴルフコースの短いコースなどでドライバーを使用する際に、本発明のゴルフボールを使用することは有益である。
【実施例】
【００４３】
以下、実施例と比較例を示し、本発明を具体的に説明するが、本発明は下記の実施例に制限されるものではない。
【００４４】
〔実施例１〜８、比較例１〜３〕
実施例及び比較例におけるゴルフボールを作成するに際し、下記表１に示す配合のゴム材料を用意した。このゴム組成物をニーダー又はロールにて適宜混練した後、いずれも１５５℃、１５分にて加硫して各例のソリッドコアを作成した。なお、下記表中の各材料の数字は質量部で表される。
【００４５】
【表１】
2010115486.tif 000003
※上記の数字は質量部を示す。
【００４６】
上記表中のコア配合の材料は下記の内容である。
・ポリブタジエンゴム：ＪＳＲ社製、商品名「ＢＲ０１」
・ポリイソプレンゴム：ＪＳＲ社製、商品名「ＩＲ２２００」
・ブチルゴム：日本ブチル製、商品名「Ｂｒｏｍｏｂｕｔｙｌ ２２２２」
・アクリル酸亜鉛：日本蒸留工業（株）製
・過酸化物（１）：日本油脂社製、商品名「パークミルＤ」
・過酸化物（２）：日本油脂社製、商品名「パーヘキサＣ−４０」
・酸化亜鉛：堺化学社製
・ステアリン酸亜鉛：日本油脂社製、商品名「ジンクステアレートＧ」
・老化防止剤：大内新興化学工業社製、商品名「ノクラックＮＳ−６」
・炭酸カルシウム：白石カルシウム製、商品名「シルバーＷ」
【００４７】
上記のとおりコアを加硫成型した後、カバー射出成型用金型にコアをセットし、コアの周囲に下記表２に示すカバー配合によりカバー配合物を射出成型した。
【００４８】
【表２】
2010115486.tif 000004
※上記の数字は質量部を示す。
【００４９】
上記表中の説明は下記の通りである。
商品名「ハイミラン」：三井・デュポンポリケミカル製、アイオノマー樹脂
商品名「パンデックス」：ＤＩＣ  Ｂａｙｅｒ  Ｐｏｌｙｍｅｒ社製、ＭＤＩ−ＰＴＭＧタイプの熱可塑性ポリウレタン
ポリイソシアネート化合物：４，４’−ジフェニルメタンジイソシアネート
熱可塑性エラストマー：熱可塑性ポリエーテルエステルエラストマー（東レ・デュポン社製の「ハイトレル４００１」）を使用した。
酸化チタン：商品名「タイペークＲ５５０」石原産業社製
ポリエチレンワックス：商品名「サンワックス１６１Ｐ」、三洋化成社製
ステアリン酸マグネシウム：日本油脂社製
【００５０】
なお、カバー表面には下記に示すＩまたはＩＩのいずれかを使用した。金型キャビテイには、ＩまたはＩＩに相応した多数の凸状突起が形成されており、これにより、カバーの射出成型と同時にディンプルも型付けられた。
【００５１】
【表３】
2010115486.tif 000005
【００５２】
【表４】
2010115486.tif 000006
【００５３】
得られた各実施例及び比較例のボールを構成するコア・カバーの厚さ・硬度等の諸物性、ゴルフボールの飛び性能、アプローチスピン性能、打感及び繰り返し打撃耐久性について評価を行った。その結果を表５，６に記した。
【００５４】
コアのたわみ変形量（ＣＥ）
コアに対し、初期荷重９８Ｎ（１０ｋｇｆ）を負荷した状態から終荷重１２７５Ｎ（１３０ｋｇｆ）を負荷したときまでの変形量（ｍｍ）を計測した。
ボールのたわみ変形量（ＢＥ）
ボール球体に対し、初期荷重９８Ｎ（１０ｋｇｆ）を負荷した状態から終荷重１２７５Ｎ（１３０ｋｇｆ）を負荷したときまでの変形量（ｍｍ）を計測した。
【００５５】
カバーのショアＤ硬度
カバー用組成物を約２ｍｍの厚さに熱プレスで成型し、得られたシートを２３℃で２週間保存した後、ＡＳＴＭ  Ｄ２２４０に準じて測定した。
【００５６】
ボールの初速度（ＢＶ）
Ｒ＆Ａの承認する装置であるＵＳＧＡのドラム回転式の初速度計と同方式の初速測定器を用いてボールの初速度を測定した。ボールを２３±１℃環境下で３時間以上温調した後、室温２３±２℃の部屋でテストした。２５０ポンド（１１３．４ｋｇ）のヘッド（ストライキングマス）を用いて打撃速度１４３．８ｆｔ／ｓ（４３．８３ｍ／ｓ）にてボールを打撃し、１ダースのボールを各々４回打撃して６．２８ｆｔ（１．９１ｍ）の間を通過する時間を測定して初速度（ｍ／ｓ）を算出した。約１５分間でこのサイクルを行なった。
コアの初速度（ＣＶ）
コアの初速度も上記ボールと同じ測定方法により求められた。
【００５７】
ディンプルの定義
・直径：ディンプルの縁に囲まれた平面の直径
・深さ：ディンプルの縁に囲まれた平面からのディンプルの最大深さ
・Ｖ0 ：ディンプルの縁に囲まれた平面下のディンプルの空間体積を、前記平面を底面とし、かつこの底面からのディンプルの最大深さを高さとする円柱体積で除した値
・ＳＲ：ディンプルの縁に囲まれた平面の面縁で定義されるディンプル面積の合計が、ディンプルが存在しないと仮定したボール球面積に占める比率
・ＶＲ：ディンプルの縁に囲まれた平面から下方に形成されるディンプル容積の合計がディンプルが存在しないと仮定したボール球容積に占める比率
【００５８】
下記表中の式（ｉ）〜（ｉｖ）は下記のように定義される。
式（ｉ）：（ＣＶ−ＢＶ）−（ＣＥ−ＢＥ）
式（ｉｉ）：カバーのショアＤ硬度×（ＢＶ／ＢＥ）
式（ｉｉｉ）：（ＢＥ／ＣＥ）／カバーのショアＤ硬度
式（ｉｖ）：ディンプル総容積／（ディンプル深さ×ディンプル表面占有率）
【００５９】
飛び性能
ゴルフ打撃ロボットに、ブリヂストンスポーツ社製「ＴｏｕｒＳｔａｇｅ  Ｘ−ＤＲＩＶＥ」（ロフト１０°）のＷ＃１クラブをセットし、ヘッドスピード（ＨＳ）４５ｍ／ｓで打撃した時の飛距離を測定し、下記の基準に従って評価した。
○：２２０ｍ未満
×：２２０ｍ以上で飛び過ぎる。
【００６０】
アプローチスピン性能
ゴルフ打撃ロボットに、ブリヂストンスポーツ社製「ＴｏｕｒＳｔａｇｅ  Ｘ−ＷＥＤＧＥ」（ロフト５８°）のＳＷクラブをセットし、ヘッドスピード（ＨＳ）１８ｍ／ｓで打撃した時の飛距離を測定し、下記の基準に従って評価した。
○：６０００ｒｐｍ以上７０００ｒｐｍ未満（コントロール性が良好）
△：７０００ｒｐｍ以上（スピン量が多過ぎて距離が合わせ難い）
×：６０００ｒｐｍ未満（スピンが少なく、コントロール性は悪い）
【００６１】
打感
Ｗ＃１打撃時のヘッドスピードが４０〜４５ｍ／ｓのトップアマチュアゴルファー３人により下記の基準に従って打感を評価した。
○：良好な打感
×：硬過ぎる、又は軟らか過ぎる。
【００６２】
繰り返し打撃耐久性
Ｗ＃１にてＨＳ５０ｍ／ｓにて繰り返し打撃、ボールの反発性が連続して３％低下した時の回数を調べ、下記を基準にした。
○：１００回以上
×：１００回未満
【００６３】
【表５】
2010115486.tif 000007
【００６４】
【表６】
2010115486.tif 000008
【００６５】
上記表５，６から、本発明（実施例）に比べて比較例１〜３は下記の欠点を有する。
比較例１では、ボール初速度が７６．０ｍ／ｓを超えてしまい、ボールが飛びすぎてしまう。
比較例２では、式（ｉ）の値が０を下回り、式（ｉｉｉ）の値が０．０１５を下回り、その結果、アプローチ時のボールのコントロール性が悪く、繰返し打撃耐久性が劣る。
比較例３では、式（ｉ）の値が０を下回り、式（ｉｉ）の値が１６００を超えてしまい、式（ｉｉｉ）の値が０．０１５を下回り、その結果、アプローチ時のコントロール性が悪く、飛びすぎてしまう。
【符号の説明】
【００６６】
１  コア
２  カバー
Ｄ  ディンプル
Ｇ  ゴルフボール
【図１】
2010115486.tif 000009
【図２】
2010115486.tif 000010
【図３】
2010115486.tif 000011
【図４】
2010115486.tif 000012